【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
（ａ）内部と外部とを有する冷蔵コンパートメントと、
（ｂ）該冷蔵コンパートメント内に形成され、該冷蔵コンパートメントの該内部の限定された部分へのアクセスを提供するように適合された複数のアクセスドアと、
（ｃ）各アクセスドアを他のアクセスドアと別個にロックおよびロック解除するように構成されたロックと、
（ｄ）該冷蔵コンパートメントの該内部内に配置されたカルーセルアセンブリであって、該カルーセルアセンブリは複数のターンテーブルを含み、該複数のターンテーブルは各々遮るもののない中央開口部を規定するベースを有し、各ターンテーブルは他のターンテーブルに対して独立して回転可能なように該冷蔵コンパートメント内に据え付けられ、該複数のターンテーブルの各々は、予め選択されたタイプの複数の薬物を所定の位置において受け取るように適合され、該複数のターンテーブルの各々の１つは、該複数のアクセスドアの各々の１つに整列させられる、複数のターンテーブルと、
（ｅ）該ターンテーブルの該遮るもののない中央開口部を通して延びる駆動シャフトの使用なしに、該ターンテーブルを独立して回転させることが可能な駆動アセンブリと、
（ｆ）調合する複数の該予め選択されたタイプから予め選択されたタイプの薬物の量を選択する第１の入力を受け取るように適合されたコンピュータシステムであって、該コンピュータシステムは、該第１の入力に応答して第１の信号を出力するように適合されている、コンピュータシステムと、
（ｇ）該冷蔵コンパートメントに動作可能に連結され、該コンピュータシステムから該第１の信号を受け取るように適合されたコントローラであって、該コントローラは、第２の信号を出力して、該選択された薬物が該複数のアクセスドアのうちの１つに隣接して配置されるように該第１のターンテーブルを回転させるように適合され、該コントローラは、第３の信号を出力して、該隣接するアクセスドアのロックを解除して、その結果、該予め選択されたタイプの薬物の該選択された量が調合されるように適合される、コントローラと
を備えている、薬物ディスペンサ。
【請求項２】
前記隣接するアクセスドアのロックが解除されたとき、前記選択された薬物のみが前記ターンテーブル上でアクセス可能である、請求項１に記載の薬物ディスペンサ。
【請求項３】
前記複数のターンテーブルは、該ターンテーブルを複数の区画に分ける複数の直立の仕切りをさらに備えている、請求項１に記載の薬物ディスペンサ。
【請求項４】
前記隣接するアクセスドアのロックが解除されたとき、前記ターンテーブル上の前記複数の区画のうちの１つのみがアクセス可能である、請求項３に記載の薬物ディスペンサ。
【請求項５】
各薬物は薬物識別子を含み、各ターンテーブル区画は位置識別子を含む、請求項３に記載の薬物ディスペンサ。
【請求項６】
スキャナをさらに備え、該スキャナは、前記コンピュータシステムと通信する、請求項５に記載の薬物ディスペンサ。
【請求項７】
前記薬物識別子は、前記スキャナによってスキャン可能であるバーコードを備えている、請求項６に記載の薬物ディスペンサ。
【請求項８】
前記位置識別子は、前記スキャナによってスキャン可能であるバーコードを備えている、請求項６に記載の薬物ディスペンサ。
【請求項９】
前記スキャナは、薬物識別子データおよび位置識別子データを前記コンピュータシステムに選択的に送り、該コンピュータシステムは、正しいタイプの薬物が調合されたかを検証するため、および薬物の各タイプの位置および在庫を追跡するために該データを処理するソフトウェアプログラムを含む、請求項７に記載の薬物ディスペンサ。
【請求項１０】
各ターンテーブルは、一緒に結合された複数の容器によって画定される、請求項１に記載の薬物ディスペンサ。
【請求項１１】
複数の表示器をさらに備え、該複数の表示器の各々の１つは前記複数のアクセスドアの各々の１つに隣接して置かれ、該表示器は調合のために選択された薬物の量を表示する、請求項１に記載の薬物ディスペンサ。
【請求項１２】
前記コンピュータシステムは、前記冷蔵コンパートメント内に確保される、請求項１に記載の薬物ディスペンサ。
【請求項１３】
前記コンピュータシステムは、該コンピュータシステム上にインストールされたソフトウェアプログラムを介して、調合されるべき予め選択されたタイプの薬物の量を選択する入力を受け取る、請求項１に記載の薬物ディスペンサ。
【請求項１４】
前記コンピュータシステムは、遠隔システム上にインストールされたソフトウェアプログラムを介して、調合されるべき予め選択されたタイプの薬物の量を選択する入力を受け取る、請求項１に記載の薬物ディスペンサ。
【請求項１５】
前記駆動アセンブリは、前記複数のターンテーブルの各々と別々に係合可能である複数の駆動機構を備えている、請求項１に記載の薬物ディスペンサ。
【請求項１６】
前記複数の駆動機構の各々がモータ／エンコーダアセンブリによって駆動されるパック駆動ローラを含む、請求項１５に記載の薬物ディスペンサ。
【請求項１７】
前記駆動機構は、第１および第２の方向に、前記ターンテーブルを回転させるように構成される、請求項１５に記載の薬物ディスペンサ。
【請求項１８】
前記アクセスドアは、前記ターンテーブル上で受け取られた複数の薬物が前記アクセスドアを通して見ることができないように不透明である、請求項１に記載の薬物ディスペンサ。
【手続補正２】
【補正対象書類名】明細書
【補正対象項目名】０００６
【補正方法】変更
【補正の内容】
【０００６】
本開示の前述の局面および付随する利点の多くは、添付の図面に関連して理解されるとき、次の詳細な説明を参照することによってより容易に理解される。
例えば、本発明は以下の項目を提供する。
（項目１）
（ａ）冷蔵コンパートメントと、
（ｂ）該冷蔵コンパートメントの限定された部分へのアクセスを提供するように適合された複数のアクセスドアと、
（ｃ）該冷蔵コンパートメント内に回転可能に配置された複数のターンテーブルであって、該ターンテーブルは、所定の位置において少なくとも１つの薬物を受け取るように適合され、該複数のターンテーブルの各々の１つは、該複数のアクセスドアの各々の１つに整列させられる、複数のターンテーブルと、
（ｅ）調合されるべき第１の薬物を選択する入力を受け取るように適合されたコンピュータシステムであって、該コンピュータシステムは、該入力に応答して第１の信号を出力するように適合されている、コンピュータシステムと、
（ｆ）該冷蔵コンパートメントに動作可能に連結され、該コンピュータシステムから該第１の信号を受け取るように適合されたコントローラであって、該コントローラは、第２の信号を出力して、該第１の薬物が該複数のアクセスドアのうちの１つに隣接して配置されるように該複数のターンテーブルのうちの１つを回転させるように適合され、該コントローラは、第３の信号を出力して、該隣接するアクセスドアのロックを解除するように適合される、コントローラと
を備えている、薬物ディスペンサ。
（項目２）
上記隣接するアクセスドアのロックが解除されたとき、上記第１の薬物のみが上記ターンテーブル上でアクセス可能である、項目１に記載の薬物ディスペンサ。
（項目３）
上記複数のターンテーブルは、該ターンテーブルを複数の区画に分ける複数の直立の仕切りをさらに備えている、項目１に記載の薬物ディスペンサ。
（項目４）
上記隣接するアクセスドアのロックが解除されたとき、上記ターンテーブル上の上記複数の区画のうちの１つのみがアクセス可能である、項目３に記載の薬物ディスペンサ。
（項目５）
複数の薬物をさらに備え、各薬物は薬物識別子を含み、各ターンテーブル区画は位置識別子を含む、項目３に記載の薬物ディスペンサ。
（項目６）
スキャナをさらに備え、該スキャナは、上記コンピュータシステムと通信する、項目５に記載の薬物ディスペンサ。
（項目７）
上記薬物識別子は、上記スキャナによってスキャン可能であるバーコードを備えている、項目６に記載の薬物ディスペンサ。
（項目８）
上記位置識別子は、上記スキャナによってスキャン可能であるバーコードを備えている、項目６に記載の薬物ディスペンサ。
（項目９）
上記スキャナは、薬物識別子データおよび位置識別子データを上記コンピュータシステムに選択的に送り、該コンピュータシステムは、各薬物の位置および在庫が追跡可能であるように該データを処理するソフトウェアプログラムを含む、項目７に記載の薬物ディスペンサ。
（項目１０）
各ターンテーブルは、一緒に結合された複数の容器によって画定される、項目１に記載の薬物ディスペンサ。
（項目１１）
複数の表示器をさらに備え、該複数の表示器の各々の１つは上記複数のドアの各々の１つに隣接して置かれ、該表示器は調合のために選択された薬物に関する情報を表示するように適合される、項目１に記載の薬物ディスペンサ。
（項目１２）
上記コンピュータシステムは、上記冷蔵コンパートメント内に確保される、項目１に記載の薬物ディスペンサ。
（項目１３）
薬物を貯蔵しかつ調合するための方法であって、該方法は、
（ａ）複数のアクセスドアを有する冷蔵コンパートメントを提供することであって、該複数のアクセスドアは、該冷蔵コンパートメントの限定された部分へのアクセスを提供するように適合される、ことと、
（ｂ）該冷蔵コンパートメント内に回転可能に配置された回転ラックアセンブリを提供することであって、該回転ラックアセンブリは複数のターンテーブルを有し、該複数のターンテーブルの各々の１つは、該複数のアクセスドアの各々の１つに整列させられる、ことと、
（ｃ）各ターンテーブル上の所定の位置に複数の薬物を選択的に配置することと、
（ｅ）調合されるべき少なくとも第１の薬物を選択することと、
（ｆ）該複数のターンテーブルのうちの１つを回転させて、該複数のアクセスドアのうちの１つに隣接して該第１の薬物を配置することと、
（ｇ）該隣接するアクセスドアのロックを解除することと
を包含する、方法。
（項目１４）
各薬物は識別バーコードを含み、上記ターンテーブル上の各所定の位置は識別バーコードを含む、項目１３に記載の方法。
（項目１５）
各薬物および該薬物の上記ターンテーブル上での対応する位置をスキャンし、該スキャンされたデータをコンピュータシステムに送ることをさらに包含する、項目１４に記載の方法。
（項目１６）
上記データを処理して、各薬物の位置および在庫を追跡することをさらに包含する、項目１５に記載の方法。
（項目１７）
上記隣接するアクセスドアのロックが解除されたとき、上記第１の薬物のみが上記ターンテーブル上においてアクセス可能である、項目１３に記載の方法。
（項目１８）
上記ターンテーブルを複数の区画に分ける複数の直立の仕切りをさらに備えている、項目１３に記載の方法。
（項目１９）
上記隣接するアクセスドアのロックが解除されたとき、上記ターンテーブル上の上記複数の区画のうちの１つのみがアクセス可能である、項目１８に記載の方法。
（項目２０）
各ターンテーブルは、一緒に結合された複数の容器によって画定される、項目１３に記載の薬物ディスペンサ。